【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
ウェアラブル眼科デバイスであって、
光をユーザの周囲から受光し、数値的ライトフィールド画像データを生成するように構成される、外向きに面した頭部搭載型ライトフィールドカメラと、
前記数値的ライトフィールド画像データにアクセスし、前記ユーザの眼に関する光学処方箋を取得し、前記光学処方箋に基づいて、ある量の正または負の屈折力を前記数値的ライトフィールド画像データにコンピュータ的に導入し、修正された数値的ライトフィールド画像データを生成するように構成される、ライトフィールドプロセッサと、
前記修正された数値的ライトフィールド画像データに対応する物理的ライトフィールドを生成するように構成される、頭部搭載型ライトフィールドディスプレイと
を備える、デバイス。
【請求項２】
前記屈折力は、球面または円柱屈折力を備える、請求項１に記載のデバイス。
【請求項３】
前記修正された数値的ライトフィールド画像データは、少なくとも部分的に、前記光学処方箋に関して補正される、前記請求項のいずれかに記載のデバイス。
【請求項４】
前記ライトフィールドプロセッサは、前記数値的ライトフィールド画像データによって表される１つまたはそれを上回る波面を識別し、前記光学処方箋に基づいて、前記１つまたはそれを上回る波面の曲率をコンピュータ的に修正することによって、前記修正された数値的ライトフィールド画像データを生成するように構成される、前記請求項のいずれかに記載のデバイス。
【請求項５】
前記ライトフィールドプロセッサはさらに、仮想現実または拡張現実画像コンテンツを前記数値的ライトフィールド画像データに追加するように構成される、前記請求項のいずれかに記載のデバイス。
【請求項６】
前記光学処方箋は、近視に関する処方箋を備える、前記請求項のいずれかに記載のデバイス。
【請求項７】
前記光学処方箋は、遠視に関する処方箋を備える、前記請求項のいずれかに記載のデバイス。
【請求項８】
前記光学処方箋は、乱視に関する処方箋を備える、前記請求項のいずれかに記載のデバイス。
【請求項９】
前記光学処方箋は、前記ユーザの眼の高次収差に関する情報を備える、前記請求項のいずれかに記載のデバイス。
【請求項１０】
前記ライトフィールドカメラは、マイクロレンズの２次元アレイおよび光検出器の対応する２次元アレイを伴う、一体型結像カメラを備える、前記請求項のいずれかに記載のデバイス。
【請求項１１】
前記ライトフィールドディスプレイは、マイクロレンズの２次元アレイおよび光源の対応する２次元アレイを伴う、一体型結像ディスプレイを備える、前記請求項のいずれかに記載のデバイス。
【請求項１２】
前記ライトフィールドディスプレイは、赤外線光を前記ユーザの眼の中に投影し、前記光学処方箋を測定するように構成される、１つまたはそれを上回る赤外線光源を備える、前記請求項のいずれかに記載のデバイス。
【請求項１３】
前記ライトフィールドプロセッサは、前記修正された数値的ライトフィールド画像データをリアルタイムで生成するように構成される、前記請求項のいずれかに記載のデバイス。
【請求項１４】
前記ライトフィールドプロセッサは、前記光学処方箋を生成するように構成される、前記請求項のいずれかに記載のデバイス。
【請求項１５】
前記ライトフィールドプロセッサは、
第１の試験量の正または負の屈折力を前記数値的ライトフィールド画像データにコンピュータ的に導入することと、
前記ユーザから、前記第１の試験量の正または負の屈折力に関するフィードバックを受信することと、
第２の試験量の正または負の屈折力を前記ライトフィールド画像データにコンピュータ的に導入することと
を行うことによって、前記光学処方箋を生成するように構成される、請求項１４に記載のデバイス。
【請求項１６】
前記ライトフィールドプロセッサはさらに、前記物理的ライトフィールドの一部として生成される場合、前記ユーザの角膜または水晶体内の障害と相互作用するであろう１つまたはそれを上回る光線を除去することによって、前記修正された数値的ライトフィールド画像データを生成するように構成される、前記請求項のいずれかに記載のデバイス。
【請求項１７】
ウェアラブル眼科デバイスを使用するための方法であって、前記方法は、
修正された数値的ライトフィールド画像データを生成するように、ある量の正または負の屈折力をユーザの周囲の数値的ライトフィールド画像データにコンピュータ的に導入することであって、前記屈折力の量は、前記ユーザに関する光学処方箋に基づく、ことと、
ライトフィールドディスプレイを使用して、前記修正された数値的ライトフィールド画像データに対応する物理的ライトフィールドを生成することと
を含む、方法。
【請求項１８】
前記修正された数値的ライトフィールド画像データを生成することは、前記数値的ライトフィールド画像データによって表される１つまたはそれを上回る波面を識別し、前記光学処方箋に基づいて、前記１つまたはそれを上回る波面の曲率をコンピュータ的に修正することを含む、請求項１７に記載の方法。
【請求項１９】
仮想現実または拡張現実画像コンテンツを前記数値的ライトフィールド画像データに追加することをさらに含む、前記請求項のいずれかに記載の方法。
【請求項２０】
赤外線光を前記ユーザの眼の中に投影させ、前記光学処方箋を測定することをさらに含む、前記請求項のいずれかに記載の方法。
【請求項２１】
前記修正された数値的ライトフィールド画像データをリアルタイムで生成することをさらに含む、前記請求項のいずれかに記載の方法。
【請求項２２】
前記光学処方箋を生成することをさらに含む、前記請求項のいずれかに記載の方法。
【請求項２３】
前記光学処方箋を生成することは、
第１の試験量の正または負の屈折力を前記数値的ライトフィールド画像データにコンピュータ的に導入することと、
前記ユーザから、前記第１の試験量の正または負の屈折力に関するフィードバックを受信することと、
第２の試験量の正または負の屈折力を前記ライトフィールド画像データにコンピュータ的に導入することと
を含む、請求項２２に記載の方法。
【請求項２４】
前記物理的ライトフィールドの一部として生成される場合、前記ユーザの角膜または水晶体内の障害と相互作用するであろう１つまたはそれを上回る光線をコンピュータ的に除去することによって、前記修正された数値的ライトフィールド画像データを生成することをさらに含む、前記請求項のいずれかに記載の方法。
【手続補正２】
【補正対象書類名】明細書
【補正対象項目名】０００７
【補正方法】変更
【補正の内容】
【０００７】
ウェアラブル眼科デバイスを使用するための方法もまた、開示される。いくつかの実施形態では、本方法は、ライトフィールドカメラを使用して、光をユーザの周囲から受光し、数値的ライトフィールド画像データを生成するステップと、数値的ライトフィールド画像データにアクセスするステップと、ユーザの眼に関する光学処方箋を取得するステップと、光学処方箋に基づいて、ある量の正または負の屈折力を数値的ライトフィールド画像データにコンピュータ的に導入し、修正された数値的ライトフィールド画像データを生成するステップと、ライトフィールドディスプレイを使用して、修正された数値的ライトフィールド画像データに対応する物理的ライトフィールドを生成するステップとを含む。
本発明は、例えば、以下を提供する。
（項目１）
ウェアラブル眼科デバイスであって、
光をユーザの周囲から受光し、数値的ライトフィールド画像データを生成するように構成される、外向きに面した頭部搭載型ライトフィールドカメラと、
前記数値的ライトフィールド画像データにアクセスし、前記ユーザの眼に関する光学処方箋を取得し、前記光学処方箋に基づいて、ある量の正または負の屈折力を前記数値的ライトフィールド画像データにコンピュータ的に導入し、修正された数値的ライトフィールド画像データを生成するように構成される、ライトフィールドプロセッサと、
前記修正された数値的ライトフィールド画像データに対応する物理的ライトフィールドを生成するように構成される、頭部搭載型ライトフィールドディスプレイと
を備える、デバイス。
（項目２）
前記屈折力は、球面または円柱屈折力を備える、項目１に記載のデバイス。
（項目３）
前記修正された数値的ライトフィールド画像データは、少なくとも部分的に、前記光学処方箋に関して補正される、前記項目のいずれかに記載のデバイス。
（項目４）
前記ライトフィールドプロセッサは、前記数値的ライトフィールド画像データによって表される１つまたはそれを上回る波面を識別し、前記光学処方箋に基づいて、前記１つまたはそれを上回る波面の曲率をコンピュータ的に修正することによって、前記修正された数値的ライトフィールド画像データを生成するように構成される、前記項目のいずれかに記載のデバイス。
（項目５）
前記ライトフィールドプロセッサはさらに、仮想現実または拡張現実画像コンテンツを前記数値的ライトフィールド画像データに追加するように構成される、前記項目のいずれかに記載のデバイス。
（項目６）
前記光学処方箋は、近視に関する処方箋を備える、前記項目のいずれかに記載のデバイス。
（項目７）
前記光学処方箋は、遠視に関する処方箋を備える、前記項目のいずれかに記載のデバイス。
（項目８）
前記光学処方箋は、乱視に関する処方箋を備える、前記項目のいずれかに記載のデバイス。
（項目９）
前記光学処方箋は、前記ユーザの眼の高次収差に関する情報を備える、前記項目のいずれかに記載のデバイス。
（項目１０）
前記ライトフィールドカメラは、マイクロレンズの２次元アレイおよび光検出器の対応する２次元アレイを伴う、一体型結像カメラを備える、前記項目のいずれかに記載のデバイス。
（項目１１）
前記ライトフィールドディスプレイは、マイクロレンズの２次元アレイおよび光源の対応する２次元アレイを伴う、一体型結像ディスプレイを備える、前記項目のいずれかに記載のデバイス。
（項目１２）
前記ライトフィールドディスプレイは、赤外線光を前記ユーザの眼の中に投影し、前記光学処方箋を測定するように構成される、１つまたはそれを上回る赤外線光源を備える、前記項目のいずれかに記載のデバイス。
（項目１３）
前記ライトフィールドプロセッサは、前記修正された数値的ライトフィールド画像データをリアルタイムで生成するように構成される、前記項目のいずれかに記載のデバイス。
（項目１４）
前記ライトフィールドプロセッサは、前記光学処方箋を生成するように構成される、前記項目のいずれかに記載のデバイス。
（項目１５）
前記ライトフィールドプロセッサは、
第１の試験量の正または負の屈折力を前記数値的ライトフィールド画像データにコンピュータ的に導入することと、
前記ユーザから、前記第１の試験量の正または負の屈折力に関するフィードバックを受信することと、
第２の試験量の正または負の屈折力を前記ライトフィールド画像データにコンピュータ的に導入することと
を行うことによって、前記光学処方箋を生成するように構成される、項目１４に記載のデバイス。
（項目１６）
前記ライトフィールドプロセッサはさらに、前記物理的ライトフィールドの一部として生成される場合、前記ユーザの角膜または水晶体内の障害と相互作用するであろう１つまたはそれを上回る光線を除去することによって、前記修正された数値的ライトフィールド画像データを生成するように構成される、前記項目のいずれかに記載のデバイス。
（項目１７）
ウェアラブル眼科デバイスを使用するための方法であって、前記方法は、
修正された数値的ライトフィールド画像データを生成するように、ある量の正または負の屈折力をユーザの周囲の数値的ライトフィールド画像データにコンピュータ的に導入することであって、前記屈折力の量は、前記ユーザに関する光学処方箋に基づく、ことと、
ライトフィールドディスプレイを使用して、前記修正された数値的ライトフィールド画像データに対応する物理的ライトフィールドを生成することと
を含む、方法。
（項目１８）
前記修正された数値的ライトフィールド画像データを生成することは、前記数値的ライトフィールド画像データによって表される１つまたはそれを上回る波面を識別し、前記光学処方箋に基づいて、前記１つまたはそれを上回る波面の曲率をコンピュータ的に修正することを含む、項目１７に記載の方法。
（項目１９）
仮想現実または拡張現実画像コンテンツを前記数値的ライトフィールド画像データに追加することをさらに含む、前記項目のいずれかに記載の方法。
（項目２０）
赤外線光を前記ユーザの眼の中に投影させ、前記光学処方箋を測定することをさらに含む、前記項目のいずれかに記載の方法。
（項目２１）
前記修正された数値的ライトフィールド画像データをリアルタイムで生成することをさらに含む、前記項目のいずれかに記載の方法。
（項目２２）
前記光学処方箋を生成することをさらに含む、前記項目のいずれかに記載の方法。
（項目２３）
前記光学処方箋を生成することは、
第１の試験量の正または負の屈折力を前記数値的ライトフィールド画像データにコンピュータ的に導入することと、
前記ユーザから、前記第１の試験量の正または負の屈折力に関するフィードバックを受信することと、
第２の試験量の正または負の屈折力を前記ライトフィールド画像データにコンピュータ的に導入することと
を含む、項目３０に記載の方法。
（項目２４）
前記物理的ライトフィールドの一部として生成される場合、前記ユーザの角膜または水晶体内の障害と相互作用するであろう１つまたはそれを上回る光線をコンピュータ的に除去することによって、前記修正された数値的ライトフィールド画像データを生成することをさらに含む、前記項目のいずれかに記載の方法。